【手続補正書】
【提出日】平成20年2月15日(2008.2.15)
【手続補正１】
【補正対象書類名】明細書
【補正対象項目名】特許請求の範囲
【補正方法】変更
【補正の内容】
【特許請求の範囲】
【請求項１】  鋳型分子のインプリントキャビティを規定するマトリックス材料を含んで成り、前記インプリントキャビティの実質的な部分が前記マトリックス材料の表面又はその近くに位置する表面インプリント組成物。
【請求項２】  前記鋳型分子のインプリントキャビティの20％以上が前記マトリックス材料の表面に位置しそして配向している請求項１記載の表面インプラント組成物。
【請求項３】  前記マトリックス材料が、ポリマーを含んで成る請求項１記載の表面インプリント組成物。
【請求項４】  前記ポリマーが、スチレン、メチルメタクリレート、２−ヒドロキシエチルメタクリレート、２−ヒドロキシエチルアクリレート、メチルアクリレート、アクリルアミド、ビニルエーテル、酢酸ビニル、ジビニルベンゼン、エチレングリコールジメタクリレート、エチレングリコールジアクリレート、ペンタエリトリトールジメタクリレート、ペンタエリトリトールジアクリレート、N, N’−メチレンビスアクリルアミド、N, N’−エチレンビスアクリルアミド、N, N’−（１，２−ジヒドロキシエチレン）ビス−アクリルアミド、トリメチロールプロパントリメタクリレート、及びビニルシクロデキストリンから成る群から選択された、重合されたモノマーを含んで成る請求項３記載の表面インプリント組成物。
【請求項５】  前記マトリックス材料が、感熱性化合物である請求項１記載の表面インプリント組成物。
【請求項６】  前記感熱性化合物が、ヒドロゲル、アガロース、ゼラチン及び成形用プラスチックから成る群から選択された請求項５記載の表面インプリント組成物。
【請求項７】  前記鋳型分子が、注目の高分子の一部に対応する請求項１記載のインプリント組成物。
【請求項８】  インプリントキャビティで結合される高分子をさらに包含する請求項７記載の表面インプリント組成物。
【請求項９】  前記鋳型分子が、前記高分子の末端部分に対応する請求項７記載の表面インプリント組成物。
【請求項１０】  前記高分子がポリヌクレオチドであり、そして前記鋳型分子がオリゴヌクレオチドである請求項７記載の表面インプリント組成物。
【請求項１１】  前記高分子がポリペプチドであり、そして前記鋳型分子がオリゴ糖である請求項７記載の表面インプリント組成物。
【請求項１２】  前記高分子がポリペプオチドであり、そして前記鋳型分子がペプチドである請求項７記載の表面インプリント組成物。
【請求項１３】  前記ペプチドの配列が、前記ポリペプチドの連続配列に対応する請求項11記載の表面インプリント組成物。
【請求項１４】  前記ペプチドが、アミノ酸３〜15個の長さである請求項12記載の表面インプリント組成物。
【請求項１５】  前記ペプチドが、アミノ酸４〜７個の長さである請求項12記載の表面インプリント組成物。
【請求項１６】  前記ポリペプチドの一部が、前記ポリペプチドのC−末端を含んで成る請求項12記載の表面インプリント組成物。
【請求項１７】  前記マトリックス材料が、少なくとも２種の異なった鋳型分子のインプリントキャビティを規定する請求項１記載の表面インプリント組成物。
【請求項１８】  前記鋳型分子の少なくとも１つが、高分子の一部に対応する請求項17記載の表面インプリント組成物。
【請求項１９】  前記キャビティが、空間的に識別できるアレイで配置される請求項17記載の表面インプリント組成物。
【請求項２０】  前記複数の表面インプラント組成物が空間的に識別できるアレイで配置される請求項１記載の多くの表面インプリント組成物。
【請求項２１】  鋳型分子のインプリントキャビティを規定するマトリックス材料を含んで成り、前記インプリントキャビティの実質的な部分が配向される表面インプリント組成物。
【請求項２２】  表面インプリントの調製方法であって、
（ａ）固定された鋳型分子の存在下で、硬化されたマトリックスを形成し；そして
（ｂ）前記硬化されたマトリックスから鋳型分子を除去し、表面インプリントを得る段階を含んで成る方法。
【請求項２３】  前記マトリックスが、感熱性化合物である請求項22記載の方法。
【請求項２４】  前記マトリックスが、ポリマーである請求項22記載の方法。
【請求項２５】  前記固定化が、共有結合による請求項22記載の方法。
【請求項２６】  前記鋳型分子が、リンカー分子を通して固定される請求項22記載の方法。
【請求項２７】  前記鋳型分子が、ガラス、プラスチック及びアクリル酸樹脂から成る群から選択された固体支持体上に固定される請求項22記載の方法。
【請求項２８】  前記固定された鋳型分子が、注目の高分子の一部に対応する請求項22記載の方法。
【請求項２９】  表面インプリントの製造方法であって、
（ａ）第１溶媒、及び２相系を形成するよう前記第１溶媒と不混和性である第２溶媒を含んで成る溶媒系に、重合性化合物及び接合体分子を分散し、ここで前記重合性化合物及び前記接合体分子の鋳型成分が前記２相系の同じ相中に分配し；
（ｂ）前記重合性化合物を重合し；そして
（ｃ）前記接合体分子を除去する段階を含んで成る方法。
【請求項３０】  前記鋳型成分及び末端成分が、リンカーを通して結合される請求項29記載の方法。
【請求項３１】  前記末端成分が疎水性であり、そして前記鋳型成分が親水性である請求項29記載の方法。
【請求項３２】  前記末端成分が親水性であり、そして前記鋳型成分が疎水性である請求項29記載の方法。
【請求項３３】  前記末端成分が、脂質又はパルミチン酸を含んで成る請求項29記載の方法。
【請求項３４】  前記接合体が、固体支持体上に固定される請求項29記載の方法。
【請求項３５】  前記固定化が、共有結合による請求項34記載の方法。
【請求項３６】  前記共有結合が、リンカー成分を通してである請求項35記載の方法。
【請求項３７】  前記末端成分が、前記固体支持体に共有結合される請求項34記載の方法。
【請求項３８】  前記共有結合が、リンカーを通してである請求項37記載の方法。
【請求項３９】  前記固体支持体が、ガラス、プラスチック及びアクリル酸樹脂から成る群から選択される請求項37記載の方法。
【請求項４０】  １つの分子と請求項１記載の表面インプリント組成物とを、前記分子が前記表面インプリントを結合する条件下で接触せしめる；
ことを含んで成る分子の捕獲方法。
【請求項４１】  請求項７記載の表面インプリント組成物による高分子の捕獲方法。
【請求項４２】  分子の単離方法であって、
（ａ）請求項46記載の分子を獲得し；そして
（ｂ）前記インプリントから前記分子を回収する；
ことを含んで成る方法。
【請求項４３】  多くの分子と請求項17記載の表面インプリント組成物とを、前記分子がそれらの対応する表面インプリントキャビティを結合する条件下で接触せしめることを含んで成る多くの分子の捕獲方法。
【請求項４４】  多くの分子と請求項20記載の表面インプリント組成物とを、前記分子がそれらの対応する表面インプリントを結合する条件下で接触せしめることを含んで成る多くの分子の捕獲方法。
【請求項４５】  サンプル中の分子の量の定量方法であって、
（ａ）請求項40記載の分子を獲得し；そして
（ｂ）前記表面インプリントに結合される分子の量を定量する；
段階を含んで成る方法。
【請求項４６】  前記分子の量が、蛍光、抵抗、キャパシタンス、音波又は表面プラスモン共鳴により定量される請求項45記載の方法。
【請求項４７】  サンプル中の多くの分子の相対的量の定量方法であって、
（ａ）請求項43又は44記載の多くの分子を捕獲し；そして
（ｂ）前記多くの表面インプリントに結合される多数の分子の個々の量を定量する；
段階を含んで成る方法。
【請求項４８】  前記分子の量が、蛍光、抵抗、キャパシタンス、音波又は表面プラスモン共鳴により定量される請求項47記載の方法。
【請求項４９】  多くの異なった分子を捕獲できる表面インプリントアレイの製造方法であって、
（ａ）固定された鋳型分子のアレイの存在下で硬化されたマトリックスを生成し；そして
（ｂ）前記硬化されたマトリックスから少なくとも２つの鋳型分子を除去し、表面インプリントアレイを得る；
段階を含んで成る方法。
【請求項５０】  多くの高分子のスクリーニング方法であって、３〜30個のアミノ酸から成るペプチド、３〜30個のヌクレオチドから成るポリヌクレオチド、及び３〜30個のサッカライドから成るオリゴ糖から選択された鋳型分子の表面インプリントを含んで成るマトリックスと前記多くの高分子とを、前記多くの分子の少なくとも１つが前記マトリックスを結合する条件下で接触せしめることを含んで成る方法。
【請求項５１】  多くの高分子のスクリーリング方法であって、３〜30個のアミノ酸から成るペプチド、３〜30個のヌクレオチドから成るポリヌクレオチド、及び３〜30個のサッカライドから成るオリゴ糖から選択された、その少なくとも２つがユニークである鋳型分子の多くの表面インプリントを含んで成る多くのマトリックスと前記多くの高分子とを、前記多くの分子の少なくとも１つがマトリックスを結合する条件下で接触せしめることを含んで成る方法。